(57)【要約】      （修正有）【課題】平易な構成であり低コストで製造可能でありながら、使用者の体圧の分散を効率よく行うことができ、良好な通気性を維持し、湿気の防止を可能とする床ずれ防止用マットを提供する。【解決手段】本発明の床ずれ防止用マット１は、クッション性を有するマット本体２に複数の空洞部３を形成してなる。また、マット本体２が、中空が形成された略ドーナツ状のクッション体２１を平面状に連結載置してなり、クッション体２１が着脱可能であり、空洞部３がクッション体２１に形成された中空からなる第１空洞部３１と、複数個のクッション体２１に囲まれて形成される第２空洞部３２とする構成とすれば、部分的な洗浄や交換が可能となり、床ずれ防止効果に加えて、作業性や経済性が良好なマット１となる。【選択図】図１
2007151610.tif 000002
【特許請求の範囲】
【請求項１】
人間や動物が横臥可能な大きさを備えた床ずれ防止用マットであって、
クッション性を有するマット本体に複数の空洞部を形成してなることを特徴とする床ずれ防止用マット。
【請求項２】
前記マット本体が略ドーナツ状のクッション体を平面状に連結載置してなり、
前記クッション体が着脱可能であり、
前記空洞部が、前記クッション体に形成された中空からなる第１空洞部と、
複数の前記クッション体に囲まれて形成される第２空洞部であることを特徴とする請求項１に記載の床ずれ防止用マット。
【請求項３】
前記第１空洞部と前記第２空洞部の面積比が３／１〜１／３であることを特徴とする請求項２に記載の床ずれ防止用マット。
【請求項４】
前記マット本体が、内部に空気を充填したエアーマットであることを特徴とする請求項１ないし請求項３のいずれかに記載の床ずれ防止用マット。
【請求項５】
前記マット本体が、内部に液体を充填したウォーターマットであることを特徴とする請求項１ないし請求項３のいずれかに記載の床ずれ防止用マット。
【発明の詳細な説明】
【技術分野】
【０００１】
本発明は、床ずれ防止用マットに関する。更に詳しくは、病気の犬や猫などといった動物や寝たきりの人間などのように自分で寝返りができない者の身体の下に敷いて床ずれを防止するための床ずれ防止用マットに関する。
【背景技術】
【０００２】
床ずれは、寝たきりの人間や、病気で動けなくなった犬や猫などの動物が、長い時間同じ姿勢で寝ていたり、栄養不良や不潔などのため、身体の一部への血液の流れが不十分となり、皮膚や筋肉が徐々に崩れていく現象である。これらの者は寝返りなどをして適当に身体の向きを変えることが困難であるために、身体の同じ部分が寝具によって血管を遮断する程の高い圧力で長時間圧迫され続け、その結果当該部分の血液の循環が阻害されて皮膚組織が壊死したり、また、繰り返し擦られた皮膚が病変することによって床ずれが生じることになる。
【０００３】
床ずれを防止するには、定期的に寝返り等の体位交換を行うことが望ましいとされており、この体位交換により、床ずれの要因といわれる体圧の集中、通気性不良、及び湿気などが解消されるといわれている。体位交換を行うには、床として使用するベッド、布団、マットレスなどの弾性状態を工夫する必要があるが、通常のベッド等ではこれらを実施するのは困難なことから、身体が寝具から受ける圧力を分散されることができる圧力分散機能が付いた、いわゆる床ずれ防止用マットが使用されている。
【０００４】
このような床ずれ防止用マットとしては、弾力性のあるマットの表面に膨出部や突起を多数設けるようにして段差を形成し、かかる段差を利用して体圧の分散を図り、体圧集中等を解消する構成が知られている。床ずれ防止用マットとしては、発泡体からなる板状体の表面側に凹部が設けられた芯材と、湾曲面を有する発泡体から形成され上記芯材の凹部に嵌合する受圧部材とからなり、受圧部材の湾曲面が芯材表面側の外方に突出するように嵌合されている構成の床ずれ防止用マットが提供されている（例えば、特許文献１）。また、多数の空気セルを平面方向に並設して空気セル群を形成するとともに、同空気セル群を、空気の給排が所定のタイミング差をもって行われる複数系統に区分して、一の系統に属する空気セルと他の系統に属する空気セルとを隣接するように配置し、前記空気セルを成型材により形成した構成の床ずれ防止用マットも提供されている（例えば、特許文献２参照）。
【０００５】
【特許文献１】特開２０００−１０２５７４号公報
【特許文献２】特開２００３−１５９２８６号公報
【発明の開示】
【発明が解決しようとする課題】
【０００６】
しかしながら、前記したマットの表面に膨出部や突起を多数設け、段差を形成するようにして構成される従来の床ずれ防止用マットにあっては、体圧の分散と、良好な通気性、湿気の防止を同時に実現することは困難であった。また、構成が複雑であるため、製造コストが高くなるという問題もあった。
【０００７】
本発明の目的は、前記の課題に鑑みてなされたものであり、平易な構成であり低コストで製造可能でありながら、使用者の体圧の分散を効率よく行うことができ、良好な通気性を維持し、湿気の防止を可能とする床ずれ防止用マットを提供することにある。
【課題を解決するための手段】
【０００８】
本発明の床ずれ防止用マットは、人間や動物が横臥可能な大きさを備えた床ずれ防止用マットであって、クッション性を有するマット本体に複数の空洞部を形成してなることを特徴とする。
【０００９】
本発明の床ずれ防止用マットは、人間や動物が横臥可能な大きさを備え、クッション性に富んだマット本体に複数の空洞部を形成した構成を採用しているので、クッション性と適度な凹凸を兼ね備えたマットとなり、長時間身体の下に敷いた場合であっても、使用者の体圧が分散され、体圧集中が解消される。また、マット本体に形成された複数の空洞部により、通気性も良好となるため湿気防止を図ることができ、その結果、使用者の床ずれを効率よく防止することができる。更には、クッション性を有するマット本体に複数の空洞部を形成するという簡便な構成であるため、前記の効果を奏する床ずれ防止用マットを低コストで製造可能である。
【００１０】
本発明の床ずれ防止用マットは、前記マット本体が略ドーナツ状のクッション体を平面状に連結載置してなり、前記クッション体が着脱可能であり、前記空洞部が、前記クッション体に形成された中空からなる第１空洞部と、複数の前記クッション体に囲まれて形成される第２空洞部であることが好ましい。
この本発明によれば、マット本体として中空を形成した略ドーナツ状のクッション体を複数個平面状に連結載置してなる構成を採用するとともに、このクッション体が互いに着脱可能であるようにしたので、マットの部分的な洗浄や交換が可能となるため、マット全体を洗浄、交換する必要もなく、床ずれ防止効果に加えて、洗浄や交換における作業性や経済性が優れた床ずれ防止用マットとなる。また、空洞部が、クッション体に形成された中空からなる第１空洞部と、複数のクッション体に囲まれて形成される第２空洞部であるので、マットに２種類の空洞部がバランスよく配置され、体圧集中を確実に解消させ、床ずれ防止効果が更に向上する。
【００１１】
本発明の床ずれ防止用マットは、前記第１空洞部と前記第２空洞部の面積比が３／１〜１／３であることが好ましい。
この本発明によれば、マットに形成される第１空洞部と第２空洞部の面積比（第１空洞部の面積／第２空洞部の面積）を３／１〜１／３とすることにより、マットに存在する２種類の空洞部のバランスがとれ、適度の通気性を有しながら、体圧の分散を効率よく実施することができる床ずれ防止用マットを提供することができる。
【００１２】
本発明の床ずれ防止用マットは、前記マット本体が、内部に空気を充填したエアーマットであることが好ましい。
この本発明によれば、マット本体をその内部に空気を充填する構成のエアーマット（エアークッション）とすることにより、浮遊感を備え、体圧の分散効果がより向上されたマットとなるとともに、使用しないときはクッション体から空気を抜き取ることができるため、容易に折りたたむことができ、収納性、携帯性に富んだマットとなる。また、エアーマットの構成を採用することにより、マット全体も軽量化される。
【００１３】
本発明の床ずれ防止用マットは、前記マット本体が、内部に液体を充填したウォーターマットであることが好ましい。
この本発明によれば、マット本体をその内部に水等の液体を充填するウォーターマット（ウォータークッション）とすることにより、前記したエアークッションとする構成と同様、浮遊感を備え、体圧の分散効果がより向上されたマットとなるとともに、使用しないときはクッション体から液体を抜き取ることができるため、容易に折りたたむことができ、収納性、携帯性に富んだマットとなる。
【発明の効果】
【００１４】
本発明の床ずれ防止用マットは、人間や動物が横臥可能な大きさを備えた、クッション性と適度な凹凸を兼ね備えたマットであり、病気の犬や猫などといった動物や寝たきりの人間などのように自分で寝返りのできない者の身体の下に長時間敷いた場合であっても、使用者の体圧が適度に分散され、体圧集中が解消されるとともに、通気性も良好となるため湿気防止を図ることができ、使用者の床ずれを効率よく防止することができる。また、クッション性を有するマット本体に複数の空洞部を形成するという簡便な構成であるため、低コストで製造でき、コスト的にも優れた床ずれ防止用マットとなる。
【発明を実施するための最良の形態】
【００１５】
［第１実施形態］
以下、本発明の第１実施形態を図面に基づいて説明する。
図１ないし図６を用いて、本発明の床ずれ防止用マット（以下、単に「マット」とする場合もある。）の一態様を説明する。図１は、本発明の床ずれ防止用マット１を示した斜視図である。図１に示す第１実施形態に係る床ずれ防止用マット１は、人間や動物が横臥可能な大きさ（幅、長さ、厚さ）を備え、クッション性を有するマット本体２に複数の空洞部３を形成してなり、マット本体２として、中空を備えた略ドーナツ状のクッション部２２からなるクッション体２１を複数個平面状に連結載置することにより構成される。なお、図１に示す床ずれ防止用マット１にあっては、クッション体２１を幅方向に３つ、長さ方向に５個ずつ、計１５個を連結載置して全体が矩形状となる態様を例として示している。また、図１において、クッション体２１、クッション部２２、第１空洞部３１、第２空洞部３２、第１連結部４１、第２連結部４２については、その一部に対してのみ示している（以下、図６及び図８についても同じ。）。
【００１６】
本発明の床ずれ防止用マット１の大きさは、人間や犬、猫などの動物が横臥可能な大きさであれば特に制限はなく、また、その形状は、平面視で長方形、正方形等の多角形状、円形、楕円形状の任意の形状とすることができる。ここで、その形状を汎用的な長方形、正方形等の四角形状とした場合にあっては、例えば、幅を１００〜２００ｃｍ程度、長さを１００〜２５０ｃｍ程度、厚さを５〜１５ｃｍ程度とすればよいが、特にこの範囲には限定されない。
【００１７】
図２は床ずれ防止用マット１を構成するクッション体２１の斜視図、図３は当該クッション体２１の平面図、をそれぞれ示す。クッション体２１は、その中央部に対して、クッション部２２に取り囲まれて形成される中空である空洞部３（第１空洞部３１）を備える。図１に示すように、第１実施形態の床ずれ防止用マット１は、当該第１空洞部３１と、４つのクッション体２１に囲まれて形成される第２空洞部３２を備え、この第１空洞部３１と第２空洞部３２が空洞部３となる。
【００１８】
クッション体２１は、クッション性（緩衝性）を有するものであれば特に制限はなく、例えば、その内部に空気を充填する構成のエアーマット（エアークッションとも呼ばれる。）や、その内部に水等の液体を充填する構成のウォーターマット（ウォータークッションとも呼ばれる。）とすれば、浮遊感を備えたものとなるとともに、使用しないときはクッション体２１から空気や液体を抜き取ることができる。その結果、クッション体２１ないしは床ずれ防止用マット１を容易に折りたたむことができ、収納性、携帯性に富むことになる。
【００１９】
このようにクッション体２１をエアーマットやウォーターマットとする場合にあっては、クッション体２１をゴムや合成樹脂等の非通気基材を用いて形成し、これを従来公知の充填手段を用いて空気や水を注入、充填するようにすればよい。なお、非通気基材の表面に肌触りのよい繊維布を被覆するようにすれば、更に使用感が向上するので好ましい。
【００２０】
クッション体２１は、通気性のよい繊維布で形成された基材の内部に綿などの緩衝材料を封入した構成としてもよく、このような構成とすれば、クッション体２１の通気性をより向上させることができる。また、クッション体２１をウレタンフォーム等の合成樹脂からなる弾性発泡体で形成するようにしても問題はない。
【００２１】
更には、クッション体２１には抗菌・防カビ処理を施すようにすれば、クッション体２１に抗菌・防カビ性能を付与することができ、マット１の清潔感が向上する。かかる処理としては、クッション体２１を構成する基材を成形する際に従来公知の抗菌・防カビ性能を有する物質を成形材料にブレンドするようにして成形したり、クッション体２１を構成する基材の繊維に抗菌・防カビ性能を有する物質を練り込んだり、あるいは基材を抗菌・防カビ性能を有する物質を溶かした溶液に浸漬させたりすればよく、その手段には特に制限はない。
【００２２】
図２及び図３に示すように、本実施形態のクッション体２１における略ドーナツ状のクッション部２２の周縁には、中心から見て９０°ごとに、隣接する他のクッション体（図示しない）と連結一体化するための連結部４が形成されている。この連結部４は、２つの突起４１１が形成された第１連結部４１と、当該突起４１１を嵌め込むための２つの穴４２１が形成された第２連結部４２が、中心から対称の位置にそれぞれ２つずつ形成されている。第１連結部４１は、隣接する他のクッション体（図示しない）の第２連結部と連結し、第２連結部４２は、隣接する他のクッション体（図示しない）の第１連結部と連結して一体化し、床ずれ防止用マット１を形成することになる。
【００２３】
図４は、２つのクッション体２１ａ，２１ｂが連結一体化される状態を示す概略図を示した。また、図５は図４の部分拡大図であり、図５（Ａ）は連結前の状態、図５（Ｂ）は連結後の状態をそれぞれ示す。２つのクッション体２１ａ，２１ｂは、図５（Ａ）にある状態で、一方のクッション体２１ａの第１連結部４１に形成された２つの突起４１１を、他方のクッション体２１ｂの第２連結部４２に形成された２つの穴４２１に嵌め込み、図５（Ｂ）に示すようにして嵌合させ、連結一体化させる。このようにして、２つのクッション体２１ａ、２１ｂにあって隣り合う第１連結部４１と第２連結部４２は、突起４１１を穴４２１に嵌め込むが、嵌め込んだ突起４１１を穴４２１から外すことにより容易に取り外しすることができるため、クッション体２１は簡便な操作で互いに着脱可能となる。
【００２４】
本発明の床ずれ防止用マット１は、病気の動物や寝たきりの人間などのように自分で寝返りのできない者に使用されることになるため、腰や臀部などの身体におけるある特定の部位が長時間密着し、その結果、マット１における当該部位と密着する部分の損傷が激しくなる。また、失禁などによる汚損もあるため、定期的な洗浄、交換を余儀なくされる場合が多い。一方、本実施形態のように、床ずれ防止用マット１が複数のクッション体２１からなり、かかるクッション体２１が容易に着脱できるようにされていれば、マット１の部分的な洗浄や交換が可能となるため、マット１全体を洗浄、交換する必要もない。このように、クッション体２１が容易に着脱可能であることにより、床ずれ防止効果を備えることに加えて、洗浄等において作業性や経済性が優れた床ずれ防止用マット１となる。なお、かかる効果は、比較的人間よりも自由が利かない犬、猫といった動物に対して顕著であり、そのため本実施形態の床ずれ防止用マット１は、特に動物に適用するのに有効である。
【００２５】
第１実施形態の床ずれ防止用マット１は、このようにして隣接するクッション体２１を複数個平面状に連結載置してなり、前記した図１にあるように、空洞部３として、クッション体２１に形成された中空からなる第１空洞部３１に加えて、４つのクッション体２１に囲まれて形成される第２空洞部３２を備えることになる。
【００２６】
第１空洞部３１と第２空洞部３２の面積比（第１空洞部３１の面積／第２空洞部３２の面積）は、３／１〜１／３であることが好ましく、２／１〜１／２であることが更に好ましく、３／２〜２／３であることが特に好ましい。両者の面積比がかかる範囲内であれば、２種の空洞部３１，３２のバランスがとれ、適度の通気性を有しながら、体圧の分散を効率よく実施することができる床ずれ防止用マット１を提供することができるため好ましい。
【００２７】
また、かかる第１空洞部３１や第２空洞部３２の面積は、それぞれの形状を変更することにより調整することができる。第１空洞部３１の形状は、円形状、楕円形状、三角形状、正方形状や長方形状等の四角形状、五角形状等の多角形状等の任意の形状とすることができる。一方、第２空洞部３２の形状は、複数のクッション体２１により取り囲まれて決定されるため、クッション体２１の周縁部の形状に応じて適宜決定すればよい。
【００２８】
なお、第１空洞部３１の面積を２０〜２００ｃｍ２程度、より好ましくは２０〜１００ｃｍ２程度、更に好ましくは３０〜５０ｃｍ２程度として、第２空洞部３２の面積も前記した面積比に対応して選定すれば、マット１全体に対するバランスも適度であり、床ずれ防止性能を備え、強度も良好なマット１となる。また、床ずれ防止マット１における第１空洞部３１及び第２空洞部３２の数は、マット１の面積等に応じて適宜決定すればよい。
【００２９】
図６は、床ずれ防止用マット１の使用状態の一例を示した概略図である。図６に示すように、床ずれ防止用マット１は、図６の示すような寝たきりの犬Ｘや、病気で身動きが取れない動物、寝たきりの人間などのように自分で寝返りのできない者の身体の下に敷いて使用される。
【００３０】
寝たきりの犬Ｘは、自分で寝返りができないため、腰がマット１に密着するような状態で長時間寝転んでいるが、本実施形態の床ずれ防止用マット１は、クッション性に富んだマット本体２に第１空洞部３１及び第２空洞部３２といった複数種の空洞部３を複数個形成した構成を採用しているので、クッション性と適度な凹凸を兼ね備えたマット１となり、犬Ｘの身体の下に長時間敷いた場合であっても、体圧が適度に分散され、体圧集中が解消されることになる。また、マット本体２に形成された複数の空洞部３により、通気性も良好となり、湿気防止を図ることができる。これにより、使用者の床ずれを効率よく防止することができる。
【００３１】
また、本実施形態の如く、マット本体２として略ドーナツ状のクッション部２２からなるクッション体２１を平面状に連結載置してなる構成を採用するとともに、このクッション体２１が互いに着脱可能であるようにしたので、マット１の部分的な洗浄や交換が可能となり、マット１の全体を洗浄、交換する必要もない。よって、床ずれ防止効果を備えることに加えて、洗浄等においても作業性や経済性の良好な床ずれ防止用マット１となる。更には、第１空洞部３１と第２空洞部３２という２種類の空洞部３がマット１にバランスよく配置され、体圧集中を確実に解消させ、床ずれ防止効果が更に向上する。
【００３２】
そして、床ずれ防止用マット１は、第１空洞部３１が形成されたクッション体２１を平面状に連結載置してなる構成であるため、低コストで製造可能である。
【００３３】
［第２実施形態］  以下、本発明の第２実施形態を図面に基づいて説明する。なお、以下の説明では、すでに第１実施形態で説明した部分と同一あるいは略同一である部分は、共通する符号を付して説明を省略する。
【００３４】
図７は、第２実施形態に係る床ずれ防止用マット１ａを示した斜視図である。第１実施形態に係る床ずれ防止用マット１は、マット本体２として、中空を備えた略ドーナツ状のクッション部２２からなるクッション体２１を複数個平面状に連結載置することにより構成されるものであったが、本実施形態にあっては、クッション性を備えた矩形状の１枚のマット本体２に対して複数の空洞部３を形成することにより、床ずれ防止用マット１ａが構成される点で相違する。
【００３５】
第２実施形態に係る床ずれ防止用マット１ａも、マット本体２に複数の空洞部３を形成した平易な構成を採用しているので、低コストで製造可能であるとともに、クッション性と適度な凹凸を兼ね備えたマットとなり、使用者の体圧集中が解消され、また、通気性も良好で、湿気防止を図ることができるため、使用者の床ずれを効率よく防止することができる。
【００３６】
［実施形態の変形］
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。本発明は前記した各実施形態に限定されるものではなく、本発明の目的を達成できる範囲での変形や改良は、本発明に含まれるものである。
【００３７】
また、前記した第１実施形態においては、床ずれ防止用マット１を構成するドーナツ状のクッション体２１の例として、図１ないし図３に示すように、正方形状の４つの隅角を丸ませた（角をとった）マット状ないし板状の中空体を示したが、本願明細書における「ドーナツ状」はかかる形状には限定されず、中空の円形状や、中空の矩形状、中空の多角形状など、平面視してドーナツ状となる形状を広く含むものである。
【００３８】
図８は、本発明の第１実施形態に係る床ずれ防止用マットの変形例を示した斜視図である。かかる床ずれ防止用マット１ｂは、ドーナツ状のクッション体２１として中空の略円形状を採用している。かかる床ずれ防止用マット１ｂにあっては、ドーナツ状のクッション体２１の形状が中空の略円形状であるため、床ずれ防止用マット１と比較して第２空洞部３２の面積が大きくなっている。なお、図８においては、図１と同様、クッション体２１を幅方向に３つ、長さ方向に５個ずつ、計１５個を連結載置して全体が矩形状となる態様を例として示している。かかるクッション体２１の数量についても、使用者の体型等に応じて適宜決定することができる。
【００３９】
前記した実施形態では、２つのクッション体２１を連結する連結部４として、突起４１１を有する第１連結部４１と、当該突起４１１と嵌合する穴４２１を有する第２連結部４２を示したが、これには限定されず、例えば、図示しないマジックテープ（登録商標）のループ面を一方のクッション体２１に、フック面を他方のクッション体２１に備えるようにし、両者を着脱可能とするような構成を採用してもよい等、その構成は適宜決定することができる。
【００４０】
前記した実施形態では、床ずれ防止用マット１，１ａ，１ｂに空洞部３がある程度整列して並んでいる態様を示したが、これには限定されず、空洞部３はランダムに並ぶようにしても問題はない。
その他、本発明の実施の際の具体的な構造および形状等は、本発明の目的を達成できる範囲で他の構造等としてもよい。
【産業上の利用可能性】
【００４１】
本発明の床ずれ防止用マットは、例えば、病気で寝たきりの犬、猫等の動物や、長期入院患者、寝たきり老人、車椅子生活者等が身体の下に敷いて使用する福祉用、介護用のマットとして使用することができる。
【図面の簡単な説明】
【００４２】
【図１】本発明の第１実施形態に係る床ずれ防止用マットを示す斜視図である。
【図２】床ずれ防止用マットを構成するクッション体を示す斜視図である。
【図３】床ずれ防止用マットを構成するクッション体を示す平面図である。
【図４】２つのクッション体が連結一体化される状態を示す概略図である。
【図５】図４の部分拡大図であって、図５（Ａ）は連結前の状態、図５（Ｂ）は連結後の状態を示した概略図である。
【図６】床ずれ防止用マットの使用状態の一例を示した概略図である。
【図７】床ずれ防止用マットの他の態様を示した斜視図である。
【図８】本発明の第１実施形態に係る床ずれ防止用マットの変形例を示した斜視図である。
【符号の説明】
【００４３】
１  …  床ずれ防止用マット
１ａ  …  床ずれ防止用マット
１ｂ  …  床ずれ防止用マット
２  …  マット本体
２１  …  クッション体
２１ａ…  クッション体
２１ｂ…  クッション体
２２  …  クッション部
３  …  空洞部
３１  …  第１空洞部
３２  …  第２空洞部
４  …  連結部
４１  …  第１連結部
４１１…  突起
４２  …  第２連結部
４２１…  穴
Ｘ  …  犬
【図１】
2007151610.tif 000003
【図２】
2007151610.tif 000004
【図３】
2007151610.tif 000005
【図４】
2007151610.tif 000006
【図５】
2007151610.tif 000007
【図６】
2007151610.tif 000008
【図７】
2007151610.tif 000009
【図８】
2007151610.tif 000010